Podtech/llm-jp-corpus-v4-ja_patent huggingface dataset:
(57)【要約】      （修正有）【課題】捕獲した大型有害獣を生け捕りするための害獣電気生け捕り器を提供する。【解決手段】バッテリーの電源から交流電気を作り、交流電圧調整器に接続する。交流電圧調整器の出力に交流電流計を入れる事で、電撃の電流値が分かり交流電圧調整つまみの調節により最適の電撃電流値が得られる。その最適の電流値によって電気ショックを与えて有害獣を殺すことなく生け捕りにできる。【選択図】図１
2017079661.tif 000002
【特許請求の範囲】
【請求項１】
バッテリーとインバーター等のＤＣ→ＡＣ変換器と、ボルトスライダー等の
交流電圧調整器をケース等に組み込んで、バッテリーから電撃用の交流電圧を得る方法。
【請求項２】
交流電撃電圧の出力回路に交流電流計（６）を入れる事。
【請求項３】
電撃棒（７）の内側に電撃電気供給線（９）を通した構造を有するもの。
【発明の詳細な説明】
【技術分野】
【０００１】
本発明は箱罠や、くくり罠等で捕獲した大型有害獣を、生け捕りするための
害獣電気生け捕り器の、電気的な構造に関するものである。
【背景技術】
【０００２】
罠で捕獲した大型有害獣は、殆んどが銃器や止め刺しによって
殺して捕獲している。
【先行技術文献】
【特許文献】
【０００３】
【特許文献１】不明
【非特許文献】
【０００４】
【非特許文献１】なし
【発明の概要】
【発明が解決しようとする課題】
【０００５】
現在捕獲した大型有害獣は、殆んど銃器や止め刺しによって殺して捕獲している.。
本発明はこの問題点を解決するために発明されたものである。
【課題を解決するための手段】
【０００６】
本方式は、図１の電撃器本体（１）と電撃棒（７）と、これと繋がっている
電撃電気供給線との構成よりなる。
図２は電撃器本体（１）の内部構造と電撃棒（７）まで、全体の電気回路を示している。
図２のバッテリー（２）の直流電気を、DC→AC変換器によって
交流電気に変換する。その交流電気は交流電圧調整器（４）の入力部
に接続する。交流電圧調整器（４）の出力部に交流電流計（６）を入れる。
出力電圧は、交流電圧調整つまみによって調整できる構造になっている。
したがって交流電流計の電流値を、出力電圧を調整することによって
必要な最適の出力電流値に設定する事がでる。
以上の構成よりなる、害獣電気生け捕り器である。
【発明の効果】
【０００７】
本発明は、バッテリーとＤＣ→ＡＣ変換器と交流電圧調整器の回路構成によって
電撃電圧を発生して、電流計を付けて、その電流が分かるようになっている。
交流電圧調整つまみによって、電撃電流を交流電流計で確認しながら
調節出来るので、有害獣に最適なショック電流を流せる。
電撃棒の中に電撃電気供給線を通しているので、その線が邪魔にならない。
【図面の簡単な説明】
【０００８】
【図１】本発明の電撃器本体と、電撃棒の構成を示す全体図。
【図２】電撃器本体内部の交流電圧発生部と、電撃棒まで全体の電気回路図。
【発明を実施するための形態】
【０００９】
本発明の実施形態を図面に基づき説明をする。
（イ）図１の電撃器本体（１）は、バッテリー（２）・ＤＣ→ＡＣ変換器（３）
交流電圧調整器（４）の構成で、本体の箱に納められている。
交流電圧調整つまみ（５）が、上から調節できるようになっている。
また交流電流計（６）も上から確認できる。
（ロ）電撃棒（７）は、その棒の筒の内側に電撃電気供給線を通して
引っ掛けたりして、邪魔にならない構造になっている。
（ハ）図２は電撃器本体（１）内部と電撃棒（７）全体の電気回路である。
発生した電撃電圧の交流出力回路に交流電流計（６）を入れて、電撃電流値が
確認でき、又その電流値を交流電圧調整つまみ（５）によって
調節できるようになっている。
本発明は以上の構成よりなる。
【実施例】
【００１０】
本発明を使用する場合は、罠で捕獲した大型有害獣に電撃棒の電極針（８）を
突き刺す。すると交流電圧調整器の出力交流電圧によって電流が流れる。
交流電圧調整つまみ（５）で、交流電流値を見ながら、電気ショックで倒れる程度の
電流に設定する。するとその最適の電撃によって有害獣が失神して倒れる。
そこで失神して倒れた有害獣を生け捕りにする。
【符号の説明】
【００１１】
１  電撃器本体
２  バッテリー
３  ＤＣ→ＡＣ変換器
４  交流電圧調整器
５  交流電圧調整つまみ
６  交流電流計
７  電撃棒
８  電極針
９  電撃電気供給電
１０電源スイッチ
【図１】
2017079661.tif 000003
【図２】
2017079661.tif 000004
(57)【要約】      （修正有）【課題】液体化するのに難かしい海藻を発酵処理して得た天然植物活性液の提供。【解決手段】オガクズ・牛糞・米糠・石灰・海藻を発酵させて海藻を溶かして液体を生成し、この液体を攪拌を繰り返して発酵させ、更に最後に鶏糞に水を加えて煮沸しその上澄み液を混ぜ完熟発酵させて得た天然植物活性液。【選択図】図１
2017079709.tif 000002
【特許請求の範囲】
【請求項１】
オガクズを混ぜた牛糞に米糠、石灰を加え海藻を入れ発酵により海藻を溶かして液体を注出する。
【請求項２】
１で出来た液体を攪拌を繰り返し発酵させる。
【請求項３】
２の液体と鶏糞に水を加え煮沸し、その上澄み液を混ぜ発酵させた天然植物活性液である。
【発明の詳細な説明】
【技術分野】
【０００１】本発明はオガクズを混ぜた牛糞、鶏糞、米糠、石灰並びに海藻を発酵処理して得た液体による天然植物活性剤に関するものである。【０００２】ミネラル成分を多く含んだ海藻は、現在直に土壌に埋めるか又は乾燥して粉末として使用されている。
これの利用効率を高め、成分を均一に施用する為には、海藻を発酵処理して液体化する必要がある。
【発明の概要】
【発明が解決しようとする課題】
【０００３】海藻を液体化するのは難しい。本発明はこの問題を解決するために発明されたものである。
【課題を解決するための手段】
【０００４】底から液が泌み出る容器を用意する。その容器に下から順にオガクズを混ぜた牛糞５００ｋｇその上に米糠、石灰各１５ｋｇを置き一番上に一晩水に晒して塩分をぬいた海藻を置き密閉する。
中で発酵が進み温度の上昇と共に海藻が溶け容器の底からドロドロの液体が泌み出て来る。
海藻が溶けたら新たに同様の海藻を補充する。こうして泌み出た液をタンク状の容器に移し、一日一回タンクの蓋を開け表面に出来た泡を棒状のもので攪拌する（これは空気を送り込むためである）これを毎日繰り返し行い、９０日〜１２０日程度で中の温度も下がり泡も消え臭いも無くなり比較的サラサラの液体が生成される。
更にこの液体を簡単な蓋付き容器に移し、この液体８の割合に対し、鶏糞に水を加えて煮沸し上澄み液を２の割合で混ぜ発酵を進めるため攪拌を繰り返し行う。沸騰した上澄み液を混入するのは若干の肥料成分を加味さすためと更なる発酵を進めるためである。
この作業を繰り返すこと約９０日程度で中の温度も下がり泡も消え臭気もなくなる。この液体を濾すと完熟発酵した液体が出来る。若干の肥料成分を含んだミネラル豊富な液体である。
【発明の効果】
【０００５】原液を水で５００倍前後に薄めた希釈液を作り、植物や根元に散布灌水する。
水溶液であるため成分を均一に施用でき、利用効率は固体に比し２倍程度と云われている。
水溶液の特徴としてスプリンクラーや灌水チューブなど既存の装置を使っても施用できる。
また水耕栽培にも目障りなく使用できる。
菜物は成育も早く、根菜は実もしまり柔らかく甘味も増す。又病害虫に対しても効き目がある。
【図面の簡単な説明】
【０００６】
【図１】海藻を発酵させる為のタンクの断面図。
【図２】〔図１〕のタンクに密閉の蓋をした断面図。
【図３】煮沸する器具と収納するタンクの断面図。
【図４】熟成するためのタンクの断面図。
【図１】
2017079709.tif 000003
【図２】
2017079709.tif 000004
【図３】
2017079709.tif 000005
【図４】
2017079709.tif 000006
(57)【要約】【課題】  本発明は、畝を作り苗の移植後、雨天、水やり時に、土の跳ね上がりで、蕾は開花せず、葉は枯れ、実は腐食、畝が崩れ土寄せ不要な土の跳ね除けシートを提供する。【解決手段】樹脂製のメッシュ状シート（１）の一辺の中央に切り欠き（８）を設け、その切欠きを中心として支柱穴（４）も複数放射状に等間隔に設けたことを特徴とする土の跳ね除けシート。【選択図】図１
2017079711.tif 000002
【特許請求の範囲】
【請求項１】
樹脂製のメッシュ状シート（１）の一辺の中央に切り欠き（８）を設け、その切り欠きを中心として支柱穴（４）も複数放射状に等間隔に設けたことを特徴とする土の跳ね除けシート。
【発明の詳細な説明】
【技術分野】
【０００１】  本発明は、花、野菜、果実、樹木他、雨天時に土の跳ね上がりを防ぎ、水やり時に畝も崩れにくい土寄せ不要な、土の跳ね除けシートに関するものである。
【背景技術】
【０００２】  従来、畝を作り、苗を移植していたが、雨天、水やり時に花、野菜、果実、樹木他に土の跳ね上がりで付着し、蕾は開花せず、葉は枯れ、実など腐食することがあった。
また、マルチを裁断してシート代わりにしていたが、薄いため破け、回りを土で押さえる面倒があった。
【先行技術文献】
【特許文献】
【０００３】
【特許文献１】  特開２０００−２３２８２７号公報
【特許文献２】  特開２００１−２７９６７４号公報
【特許文献３】  特開２００４−７３１６９号公報
【発明の概要】
【発明が解決しようとする課題】
【０００４】  そのため、次のような問題点があった。
畝を作り、苗の移植後、雨天、水やり時に土の跳ね上がりで、蕾は開花せず、葉は枯れ、実は腐食、畝が崩れ、土寄せが必要だった。
本発明は以上の問題点を解決するものである。
【課題を解決するための手段】
【０００５】主枝に、樹脂製のメッシュ状シートを２枚１組で使用、切り欠きと支柱穴を設けた土の跳ね除けシート。
シート（１）を２枚１組で使用、切り欠き（８）と支柱穴（４）を設け、支柱（５）を立て、紐（６）で結束。
以上の構成よりなる土の跳ね除けシートである。
【発明の効果】
【０００６】土の跳ね上がりを防ぎ、畝が崩れにくく土寄せ不要。蕾は開花、葉の枯れも、実の腐食も無くなる。シート２枚一組で使用するため、取り外しが簡単。
【図面の簡単な説明】
【０００７】
【図１】  本発明の正面図である。
【図２】  本発明の断面図である。
【図３】  本発明の他の形状を示す正面図である。
【発明を実施するための形態】
【０００８】  以下、本発明の実施の形態について説明する。
樹脂製のメッシュ状シート（１）の一辺の中央に切り欠き（８）を設け、その切り欠きを中心として支柱穴（４）も複数放射状に等間隔に設ける。
図３に示す通り、メッシュ状シート（１）の形態は、半円形状だけでなく、（ａ）のような、半円形状の円弧部分に波状のひだを複数設けた形態や、（ｂ）のような四角形状の形態も考えられる。
土の跳ね上がりを防ぎ、畝も崩れにくい、土寄せ不要、取り外しが簡単、支柱棒で固定する。
本発明は以上のような構成である。
本発明を使用するときは、畝（７）に主枝（２）を移植、シート（１）を２枚一組で使用。主枝穴（３）に納める。支柱穴（４）に支柱（５）を立て、紐（６）で結束。
なお、支柱の代わりにピン、コ型などでシートの固定が可能。室内外のインテリアとして鉢の下敷きも可能。
【符号の説明】
【０００９】    １  シート
２  主枝
３  主枝穴
４  支柱穴
５  支柱
６  紐
７  畝
８  切り欠き
【図１】
2017079711.tif 000003
【図２】
2017079711.tif 000004
【図３】
2017079711.tif 000005
(57)【要約】      （修正有）【課題】太陽追尾型の太陽光発電装置では、発電装置一台あたりの発電量を増やすために受光パネルを大きくしようとすると、強風に煽られても破壊しないように骨組みを堅固にする必要が生じることで、受光パネル部が重くなることによる、自動追尾機構での電力消費量の増大、運搬や設置作業での困難を解消する構造を提供する。【解決手段】比較的軽量な多段式の受光パネルの裏側に収納部を設け、強風時には受光パネルを収納し、受光パネルの破壊等を防止し、風の強さが一定値以下の時には任意のスライド機構にて多段式受光パネル部を収納部から全開し、受光パネルのすべてを使い受光面積を大きく取り発電する。【選択図】図１
2017079498.tif 000002
【特許請求の範囲】
【請求項１】
太陽自動追尾機構付きの太陽光発電において、収納式の複数段の太陽光パネルが、天  候状態によって自動で収納されたり全開したりする太陽光発電装置。
【発明の詳細な説明】
【技術分野】
【０００１】
本発明は、太陽に向かって受光パネルが常に正対するように駆動する太陽光発電装    置に関するものである。
【背景技術】
【０００２】
もし受光パネルが固定であれば、地球の自転によって太陽は常に動きまわり、受光    パネルは一日のうちのほとんどの時間で正対することがなく、特に朝日や夕日などで    は大きく角度を持ってしまい、発電効率が極端に低下することになる。
従って、太陽に対して常に正対して動く受光パネルは発電効率が高くなるため、太    陽自動追尾型の太陽光発電装置が既に提案されている。
【先行技術文献】
【特許文献】
【０００３】
【特許文献１】特開２０１０−４０７７９号公報
【特許文献２】特開２００９−２６６８９０号公報
【特許文献３】特開２００６−８０４５５号公報
【発明の概要】
【発明が解決しようとする課題】
【０００４】
太陽追尾型の太陽光発電装置の先行提案例では受光パネルの大きさが固定されている    為、同一性能の受光パネルを使用するとして、発電装置一台あたりの発電量を増やす    ためには受光パネルを大きくするしかないが、強風に煽られても破壊しないようにす    るには骨組みを堅固にする必要があり、受光パネル部が大きく重くなる為、自動追尾    機構での電力消費量が増大し、運搬や設置作業も困難がつきまとう。
【課題を解決するための手段】
【０００５】
受光パネルの裏側に収納部を設け、そこに複数の受光パネルを設置し、収納部から受    光パネルを引き出して受光面積を広げる。
【発明の効果】
【０００６】
本発明では、従来の提案の太陽自動追尾の太陽光発電に比べて、受光面積を
各段に広くとることができる。
【図面の簡単な説明】
【０００７】
【図１】太陽自動追尾機構が付帯した太陽光発電の受光パネルの裏側に受光パネルが        収納されている状態図。
【図２】図1の側面からみた図で、かつ収納されていた受光パネルが、引き出された状態図。
【発明を実施するための形態】
【０００８】
太陽自動追尾の大型の受光パネルの裏側の収納部に、さらに複数枚の受光パネルを設    定し、消防のはしご車のようなイメージで受光パネルを引き出す。
【０００９】
図１において、受光パネル1の裏側に受光パネル収納部９を設け、その中に    アルミ等の軽い金属のフレーム枠２'、３'上に固定された受光パネル２、３    が収納されている。受光パネル２、３はそれぞれ潤滑性のある樹脂のガイ    ド４によって保持され、該ガイド４に沿って動かすことが可能である。
又、フレーム枠２'、３'の下部にはラック５'、６'を固定し、モーター    ８の軸に固定された歯車７と噛み合うようにすることで、モーター８の    回転制御によって、受光パネル２、３の出し入れが可能となる。
尚、受光パネル１'は太陽追尾機構（特願２０１５-１８０６８１参照）の最大    傾斜時の位置を示す。
【００１０】
図２で、歯車７bが右回転をすると受光パネル２、３が収納し、左回転をす    ると受光パネル２、３が引き出される。
【産業上の利用可能性】
【００１１】
最近では1.5mm程度の厚みの受光パネルが実用化され、比較的軽量な骨組みでも固定    が可能になってきており、その分強度的には弱くなるが、風が強い時には収納するこ    とで破壊を防ぐことができる。本例では、風力がある基準値より強ければ収納し太陽    光発電としては約1/2の発電量となるが、その分風力発電の発電量が増すので、日中    では比較的安定した電力が供給可能となる。
本例では収納される受光パネルは両サイドともに1段であるが、はしご車やつり竿の    原理等を使用し複数段にすれば、パネルの段数に比例して受光面積を増すことが出来    る為、太陽光発電の一台当たりの発電量を大幅に増すことができる。また、収納部に    収める部分を増減することで、発電量を調整できるメリットがある。
【符号の説明】
【００１２】
1固定の受光パネル
２  出し入れ可能な受光パネル
３  出し入れ可能な受光パネル
２b'  フレーム枠、
３b'  フレーム枠
４  ガイド
５  ラック
６  ラック
７  歯車
８  モーター
９  収納部
10  収納部固定台
11  風力発電部
12  支柱
13  土台。
【図１】
2017079498.tif 000003
【図２】
2017079498.tif 000004
(57)【要約】【課題】  従来の介護パンツは、尿をパンツ内で吸收し、股から、もれないようにしているが、尿量や回数が多い時、また、歩行時、就寝時に下もれする。また、下もれするのではないかと不安を感じる。  特に、サイズが合はず、一段上のサイズを着用する時は、股口は「ユルユル」状態になるため、更に、下もれ、また、下もれするのではないかと不安を感じる。【解決手段】  介護パンツの不透水外皮を下方に延長して形成した両股口内に尿吸水綿筒を取り付けて構成した。  これにより、介護パンツから下もれしても、股口内の尿吸水綿筒が吸收するので、どんな状況の元でも、介護パンツを安心して着用することができる。【選択図】図４
2017145543.tif 000002
【特許請求の範囲】
【請求項１】
介護パンツの不透水外皮に連なる長めの両股口内に、弾力性を有する尿吸水綿で、両股口と同じ長さの尿吸水綿筒を形成し、而して、該吸水綿筒を両股口内に貼着し、且、両股口の下端を反り状に折曲げて、尿吸水綿筒の下部を包み込み、縫着するか貼着することを特徴とする下もれ防止付き介護パンツ。
【請求項２】
前記尿吸水綿筒に、不透水外皮で形成した、凵型の中間伝いもれ防止を１段、または、複数段介在したことを特徴とする請求項１記載の下もれ防止付き介護パンツ。
【発明の詳細な説明】
【技術分野】
【０００１】  本発明は、下もれ防止付き介護パンツに関する。
【背景技術】
【０００２】  従来の介護パンツは、尿をパンツ内で吸收し、股からもれないようにしているが、尿量や回数が多い時、また、歩行時、就寝時に下もれする。また、下もれするのではないかと不安を感ずる。
特に、サイズが合わず、一段上のサイズを着用する時は、股口は「ユルユル」状態になるため、更に、下もれし、また、下もれするのではないかと不安を感ずる。
【発明の概要】
【発明が解決しようとする課題】
【０００３】  本発明は、介護パンツを、どんな状態で着用しても、下もれしないようにすることを目的とする。
【課題を解決するための手段】
【０００４】  実施例１の図１と図２は、介護パンツの不透水外皮に連なる長めの両股口内に、弾力性を有する尿吸水綿で、両股口と同じ長さの尿吸水綿筒を形成し、而して、該吸水綿筒を両股口内に貼着し、且、両股口の下端を反り状に折曲げて、尿吸水綿筒の下部を包み込み、縫着するか貼着したものである。【０００５】  実施例２の図３は、外径が股口中間部と同径で、内径が尿吸水綿筒の内径と同じ、凵型の中間伝いもれ防止を不透水外皮で形成し、而して、該中間伝いもれ防止を、尿吸水綿筒の中間部に介在し、凵型の外径を不透水外皮の内径に、凵型の凹みには上部の尿吸水綿筒を、凵型の下面には下部の尿吸水綿筒を貼着したものである。【０００６】  実施例３の図４は、実施例２（図３）の応用実施例で、伝いもれ防止を２段貼着したものである。
【発明の効果】
【０００７】  本発明は、上記のように形成したので、実施例１の図１と図２において、本発明の介護パンツを着用すれば、尿量が多い時、また、歩行や就寝時に下もれしても、尿吸水綿筒が吸收し、下もれを完全に防止する。
また、尿吸水綿筒の下部を、不透水外皮で反り状に包み込んんだので、下方に伝えもれしても、この部分で食い止められ安全である。【０００８】  実施例２の図３は、尿吸水綿筒の中間に、中間伝いもれ防止を取り付けたので、多量の下もれがあっても、この部分で食い止められ、介護パンツを安心して着用することができる。【０００９】  実施例３の図４は、尿吸水綿筒に、中間伝いもれ防止を、２段取り付け、３重の下もれ防止対策を実施したので、介護パンツを、一層安心して着用することができる。
【図面の簡単な説明】
【００１０】  実施例１
【図１】  本発明の正面図
【図２】  図１の線Ａ−Ａの縦断正面図  実施例２【図３】  実施例２の縦断正面図  実施例３【図４】  実施例３の縦断正面図
【発明を実施するための形態】
【００１１】  実施例１の図１と図２の２は、介護パンツの不透水外皮１に連なる股口で、本発明においての３は弾力性を有する尿吸水綿を筒状に形成した尿吸水綿筒で、両股口２と同じ長さに形成している。
而して、該吸水綿筒３を股口２内に挿し込んで貼着すると共に、両股口２の下端を反り状に折曲げて、尿吸水綿筒３の下部を包み込み、縫着するか貼着している。
【００１２】  実施例２の図３の４は、凵型の中間伝いもれ防止で、尿吸水綿筒３の中間部に介在し、不透水外皮の内径に貼着すると共に、上部の尿吸水綿筒を、凵型の凹み、凵型の下面には下部の尿吸水綿筒を貼着している。
【００１３】  実施例３の図４は、伝いもれ防止を２段貼着している。
【符号の説明】
【００１４】  １  不透水外皮
２  股口
３  尿吸水綿筒
４  中間伝いもれ防止
【図１】
2017145543.tif 000003
【図２】
2017145543.tif 000004
【図３】
2017145543.tif 000005
【図４】
2017145543.tif 000006
【手続補正書】
【提出日】平成29年4月18日(2017.4.18)
【手続補正１】
【補正対象書類名】特許請求の範囲
【補正対象項目名】請求項１
【補正方法】変更
【補正の内容】
【請求項１】
介護パンツの不透水外皮に連なる、長めの股口下部の反りと、介護パンツ下部の反り間に、弾力性を有する尿吸水綿で、前記両反り間と同じ長さの尿吸水綿筒を形成し、而して、該尿吸水綿筒を両股口内に貼着したことを特徴とする下もれ防止付介護パンツ。
(57)【要約】【課題】肌や髪を洗浄するとき、界面活性剤を使用せずに炭酸成分を洗浄剤として使用し、使いやすいようにジェル状にして、さらに炭酸成分の洗浄力が肌に負担をかけないように保湿性を持たせた洗浄剤を提供する。【解決手段】界面活性剤を含まない炭酸成分をトウモロコシ由来のでんぷんを使ってジェル状にする。保湿性を高める為にコメ醗酵エキスやマンナン（こんにゃく由来）を配合する。安全性を高める為に合成保存料を使用せず、薬草を使って抗菌・抗酸化作用を与え製品の腐敗を防ぐ。【特許請求の範囲】
【請求項１】
炭酸をジェル化した界面活性剤を含まない保湿性の高い洗浄剤、かつ薬草を配合することにより合成保存料を含まないもの。
【発明の詳細な説明】
【技術分野】
【０００１】  本発明は、美容のお手入れにおいて、炭酸（炭酸水素ナトリウム／重曹）の洗浄力をジェル化する事によって使いやすくしたものである。
【背景技術】
【０００２】  古来より炭酸（炭酸水素ナトリウム／重曹）は、自然界に存在する洗浄剤や食品として親しまれ、安全で安心して使われてきました。美容においても安全な洗浄剤として認識され様々な使われ方をしていますが、従来の炭酸（炭酸水素ナトリウム／重曹）で洗浄するときは粉末状か液状のものであり、肌になじみが悪く使用感が良くなかった。【０００３】  また、炭酸（炭酸水素ナトリウム／重曹）の洗浄力は強く、敏感肌には刺激やダメージを与える恐れがありました。【０００４】  また、現在の美容における洗浄剤にはほとんどの製品に界面活性剤が使われており、界面活性剤の洗浄力やタンパク質への刺激、経費毒による健康被害や皮膚常在菌バランスの悪化の恐れがあります。【０００５】  この改善策として、炭酸（炭酸水素ナトリウム／重曹）をジェル状にすることによって肌になじみやすく、伸びやすくなり使用感が大きく向上しました。
さらに、トウモロコシ由来のでんぷん成分を使ってジェル化することにより保湿力を与えながら洗浄力を弱めて敏感肌にも刺激を与えないようにできました。追加保湿成分としてコメ醗酵エキスやマンナン（こんにゃく由来）を配合。
敏感肌にも安心して使用できるように、界面活性剤を全く使用せず、炭酸の持つ洗浄力だけで肌や髪の汚れを洗浄します。また穏やかな洗浄力でありながら、界面活性剤では落としきれない酸化した皮脂分（過酸化脂質）を除去する効果により、臭いを除去する効果もあります。
製品の腐敗を守る為に必要な合成防腐剤をあえて使用せずに、薬草を配合することにより抗菌・抗酸化作用を持たせて肌への安全性を高めました。
【発明の効果】
【０００６】    （イ）敏感で乾燥しやすい肌に対して刺激をあたえずに洗浄ができる。
（ロ）脂性でべたつきやすい肌の皮脂分の過剰分泌を整えてサラサラの肌に改善できる。
（ハ）汗や脂の臭いを改善できる。
（ニ）血流を促進する効果により美肌・育毛が改善できる。
【非特許文献】
【０００７】
【非特許文献１】夏井睦著  「傷口は絶対に消毒するな」２００９年６月２０日初版発行  ２０１１年３月１０日１１刷発行
【発明の概要】
【発明が解決しようとする課題】
【０００８】  解決しようとする問題点は、界面活性剤を使用した洗浄剤による皮膚や体への負担である。
【課題を解決するための手段】
【０００９】  本発明は、炭酸の持つ洗浄力を活かしながら保湿性を与え、主要成分を天然由来のものに限定したことにより安全性を高めた。
【発明の効果】
【００１０】  本発明の炭酸クレンジングジェルは、主要成分が食品で構成されているので、敏感肌の洗浄剤としてだけではなくシェービングジェルとして、歯磨きジェルとして、介護用の洗浄剤としても安全に使用できる。
【産業上の利用可能性】
【００１１】  一般の方々に対する家庭でのお手入れの為の製品ですが、美容室や理容室の業務用クレンジング剤として、エステティックのフェイシャルやボディのクレンジング剤として、介護事業における利用者の身体の洗浄剤として、さらにペットに対する洗浄剤として幅広く活用できます。
【符号の説明】
【００１２】  １    炭酸クレンジングジェル
２    炭酸・炭酸水素ナトリウム・重曹
３    界面活性剤
４    経費毒
５    皮膚常在菌
６    過酸化脂質
７    保湿力
(57)【要約】      （修正有）【課題】耕作する面積に合ったブロック数で短時間できれいに設置でき、風にあおられる事もなく、持ち運び片付けが簡単であり、継ぎ部を重ね合わせるため位置合わせが簡単に出来る１ブロック型トンネルハウスを提供する。【解決手段】波板１に支持棒４を結束バンド５で固定した１ブロック型トンネルハウスを作成し、これを２枚３枚と数を増やし重ね継ぎ部３で連結し、側面カバー２を両側面に取り付けた１ブロック型トンネルハウス。【選択図】図１
2017184707.tif 000002
【特許請求の範囲】
【請求項１】
波板（１）に支持棒（４）支持棒（４）に結束バンド（５）で固定し１ブロック型トンネルハウスを作成これを２枚３枚と数を増やし重ね継ぎ部（３）で連結する又側面カバー（２）を設け両側面に取り付けた、１ブロック型のトンネルハウス。
【発明の詳細な説明】
【技術分野】
【０００１】本発明は、波板と支持棒を組み合わせた１ブロック型のトンネルハウスに関するものである。
【背景技術】
【０００２】従来のビニールハウスは、支持棒を等間隔で地面に差し込み並べて、その上にビニールを張っていた。
【発明の概要】
【発明が解決しようとする課題】
【０００３】従来のビニールハウスでは次のような問題点があった。
（イ）少しの風でもビニールが捲き上がり、作業が困難であった。
（ロ）支持棒（４）を何本も並べビニールを張り土をかぶせるため、重労働であった。
（ハ）ビニールの長短により材料、作業時間にムダがあった。
本発明は、これらの問題点を解決するためになされたものである。
【課題を解決するための手段】
【０００４】波板（１）に支持棒（４）を結束バンド（５）で固定し１ブロック型のトンネルハウスを作成。これを２枚３枚と数を増やし重ね継ぎ部（３）で連結し、トンネルハウの両側面に側面カバー（２）を設ける。
本発明は以上の構成よりなる１ブロック型のトンネルハウスである。
【発明の効果】
【０００５】（イ）耕作する面積に合ったブロック数で短時間できれいに設置できる。
（ロ）風にあおられる事もなく持ち運び片付けが簡単である。
（ハ）波板（１）の波状に重ね継ぎ部（３）を重ね合わせるため位置合わせが簡単に出来      、真っ直ぐに設置できる。
（ニ）１ブロックと側面カバー（２）を使用すると、女性の肩幅サイズで軽量のため、日      当たりの良い場所へ持ち運びが簡単にでき、発芽させるのに最適である。
【図面の簡単な説明】
【０００６】
【図１】本発明の分解斜視図である。
【図２】本発明の斜視図である。
【発明を実施するための形態】
【０００７】以下、本発明の実施の形態について説明する。
透明度の高い波板（１）に、波板が半円になる形状を保たせるため、円筒半円形で軽金属の支持棒（４）を、半円になった両側に波板（１）と波板（１）が重なり、左右に移動できる間隔に重ね継ぎ部（３）を設け、波板（１）の上部２ヶ所側面２ヶ所に穴をあけて結束バンド（５）を挿入し、支持棒（４）を結束バンド（５）で締め付けて固定する。
重ね継ぎ部（３）末端の波板（１）から伸びた支持棒（４）を直角に外側に向けて曲げ、土を盛りつけられるように手の平の幅に波板（１）を加工すると、地面に平面接触する羽根（６）ができる。
羽根部分の波板（１）に、曲がり近辺に１ヶ所、曲がりから端近辺に１ヶ所穴をあけ結束バンドを挿入して支持棒（４）を結束バンド（５）で締め付けて固定する。
波板（１）のブロックを、ひと畝に合った枚数でつなぎ合わせ、地面接触部に軽く盛り付け足の裏で踏みつけ１ブロックを固定し、側面カバー（２）を取り付けると、簡単でキレイなトンネルハウスができる。
温度管理する時は側面カバー（２）を開放、又は重ね継ぎ部（３）を少しずらし１ブロックと１ブロックにスキ間をあけて温度調整を行う。
強風にあおられて飛ばされても波板（１）が変形しにくいため１ブロックを拾い集めて並べれば軽作業で終わる。
女性の肩幅サイズの波板（１）に半円型を保たせるための支持棒（４）を組み合わせ結束バンド（５）にて固定する骨組みとなり変形しにくく、軽量のため片手で簡単に持てる。
【符号の説明】
【０００８】１  波板
２  側面カバー
３  重ね継ぎ部
４  支持棒
５  結束バンド
６  羽根
【図１】
2017184707.tif 000003
【図２】
2017184707.tif 000004
(57)【要約】      （修正有）【課題】猫を飼う人が増え、今や猫ブームである。人間社会、高齢化が進み犬を飼うのは散歩が大変な為に猫を飼う方が楽という事で、猫を飼う方が増えているのである。悩みなのが猫の爪研ぎと抜け毛である。これらの悩みを少しでも解決する。【解決手段】猫は丸い入れ物や穴が大好きであり、猫の本能、習性であることに着目して、ソフトスプリング（イ）付きの木桶（ア）を提供する。木桶（ア）の底で爪研ぎが出来、桶の中で丸く寛ぐので桶の出入りの時に抜け毛がスプリング（イ）に挟まり毛が取れ一石二鳥である。またトンネルは弱い静電気が発生するのでトンネルの中、出入口で抜け毛が取れる様に発明した画期的な抜け毛爪研ぎ対策用アイテムである。【選択図】図１
2017184708.tif 000002
【特許請求の範囲】
【請求項１】
ソフトスプリングを桶の淵にグルリと丸く取り付けた桶である。また、桶の底で爪研ぎも出来るのである。
【請求項２】
静電気の発生する化学繊維布（ラッセルターフ）のトンネルの出入口にソフトスプリングを取り付けた衣トンネルである。
【請求項３】
化学繊維（ラッセルターフ）衣にマタタビのエキスを付けた衣にした物である。
【発明の詳細な説明】
【技術分野】
【０００１】  猫の抜毛をソフトスプリングで猫の生活環境の中で自然に取れる様にしたスプリングの技術を利用した物である。
【背景技術】
【０００２】  今は猫の大ブームである。犬より猫の飼われている方が多いのである。また猫の抜毛も悩みの種である。猫の習性を利用した抜毛処理ソフトスプリングである。
【発明の開示】
【発明が解決しようとする課題】
【０００３】  飼い猫の抜毛が無理なく、ごく自然にスプリングを使って取れる様にした画期的な抜毛取りである。桶の淵にスプリングを取り付けた桶と弱い静電気を発生する化学繊維衣のトンネルの出入口にスプリングを取り付けて猫の習性を利用して抜毛が取れる様にした物である。
【課題を解決するための手段】
【０００４】  猫は狭い所や穴の中、丸い入れ物の中に入るのが大好きである。その習性を利用したソフトスプリングで猫が桶や衣トンネルの中でくつろいだり、出たり入ったりする時に抜毛がスプリングに挟まり取れる様に考案発明した物である。
【発明の効果】
【０００５】  衣トンネルは化学繊維で出来ており静電気が発生する事でトンネルの中でも抜毛が取れ出入口でも取れまた、繊維にはマタタビの香りを染み込ませてあるので猫が好んで入る様にしたトンネルである。効果は抜群であったのである。
【発明を実施するための、最良の形態】
【０００６】  特に季節の変わり目には抜毛が多く、何匹も飼っていると尚更である。そこでスプリングを利用する事で多量の抜毛が取れるのである。
【実施例】
【０００７】  猫が好きな居場所で自然にくつろいで居る時に、無理なく抜毛が取れる便利な物である。
【産業上の利用可能性】
【０００８】  猫ブームで、猫が犬より飼われている以上、抜毛は付き物であり抜毛の取りが出来れば産業上、木桶を使用するので桶屋産業、化学繊維もトンネルを造るので化維メーカー、スプリングを使用するのでバネ製造業、マタタビも使うので山草業者等々産業の利用可能な画期的な発明である。
【図面の簡単な説明】
【０００９】図面の名称
【図１】Ａ．木桶の底と淵回りにソフトスプリングを取り付けた図  Ｂ．化学繊維で造った衣トンネルで出入口にスプリングを取り付けた図  （ア）木桶  （イ）ソフトスプリング  （ウ）化学繊維で造ったトンネル  （エ）出入口のスプリング  （オ）木桶の底（爪研用）  （カ）箍（タガ）
【図１】
2017184708.tif 000003
(57)【要約】【課題】浅い鍋のお湯の量でも茹でられるように棒状の麺を中央部でＵ字状に曲げてから乾燥させたＵ字状の乾燥麺を提供する。【解決手段】棒状の麺を中央部でＵ字状に曲げてから乾燥させたＵ字状の乾燥麺を特徴とする。【選択図】図１
2017184704.tif 000002
【特許請求の範囲】
【請求項１】
棒状の麺を中央部でＵ字状に曲げてから乾燥させたＵ字状の乾燥麺。
【発明の詳細な説明】
【技術分野】
【０００１】  この発明は、棒状の麺をＵ字状にして乾燥させたＵ字状の乾燥麺に関するものである。
【背景技術】
【０００２】  従来、パスタ等の乾燥麺は棒状であった。
【先行技術文献】
【０００３】
【特許文献１】
【非特許文献１】
【発明の概要】
【発明が解決しようとする課題】
【０００４】  これは、次のような欠点があった。
従来、棒状の長い乾燥麺を鍋で茹でる際、深い鍋に大量のお湯が必要であった。浅い鍋のお湯の量だと麺全体がお湯に入らないので困ることが多かった。
本発明は、以上のような欠点をなくすためになされたものである。
【課題を解決するための手段】
【０００５】  棒状の麺を中央部でＵ字状に曲げてから乾燥させる。
本発明は、以上の形状よりなるＵ字状の乾燥麺である。
【発明の効果】
【０００６】  棒状の麺をＵ字状に曲げることで長さが半分になっているので、浅い鍋のお湯の量でも麺全体をお湯に入れられる。大量の水と水を加熱する時間を減らせられるので経済的である。茹であがりの麺の長さと形状は従来のままである。
【図面の簡単な説明】
【０００７】
【図１】本発明の斜視図である。
【発明を実地するための形態】
【０００８】  以下、本発明を実施するための形態について説明する。
棒状の麺を中央部でＵ字状に曲げてから乾燥させる。
本発明は、以上の形状よりなるＵ字状の乾燥麺である。
これを茹でるときは、浅い鍋のお湯の量でも茹でられる
【符号の説明】
【０００９】１  Ｕ字状の乾燥麺
【図１】
2017184704.tif 000003
(57)【要約】【課題】雪止め装置の開放時において、大量の積雪に対しても円滑に落雪することが可能となる雪止め装置を提供する。【解決手段】屋根上に備えられた駆動部と、雪止め板とを支持するアームにおいて、該アームの長さを例えば５０センチメートルとすることで、雪止め板の開放位置において屋根面との間隔が５０センチメートルとなり、大量の積雪時でも積雪と雪止め板とが干渉することなく落雪することを可能とした。【選択図】図１
2017155405.tif 000002
【特許請求の範囲】
【請求項１】
屋根上に備えられた駆動部と、雪止め板を支持するアームであって、該アームは平板状であり、かつ雪止め板の断面形状は円弧形であって、該雪止め板が駆動部の下方に位置する屋根上、若しくは駆動部の上方に位置する屋根上より、最頂部となる開放位置へと回動することにより、大量の積雪と干渉することなく落雪させることを可能としたアーム式雪止め装置。
【発明の詳細な説明】
【技術分野】
【０００１】
本発明は、アーム式雪止め装置に関する。
【背景技術】
【０００２】
屋根の積雪に対し、雪止め、滑落、融雪等数々の考案がなされ、中でも幾つかの考案は実用化され時折目にするものである。特許文献１には可動式の雪止め装置が開示されている。
【先行技術文献】
【特許文献】
【０００３】
【特許文献１】特願２０１５−１６９９０８号公報
【発明の概要】
【発明が解決しようとする課題】
【０００４】
この特許文献１の雪止め装置は、可動式により少量の積雪を随時落雪させることで機能に障害を来すものではない。しかし、大量の積雪があった場合落雪時に雪止め板が障害となり落雪に支障を来す場合が想定される。また、屋根の下部を落雪させた後、屋根の上部の積雪を落雪させることとなるが、当然その積雪の多さから開放された下部の雪止め板に衝撃が加わり、雪止め板の損傷も起こりやすい状況である。また、落雪が阻害され積雪が留まり落雪しない場合も想定される。そこで、積雪量が多い場合でも円滑に落雪する構造の雪止め装置を提供することを課題とする。
【課題を解決するための手段】
【０００５】
本願発明によるアーム式雪止め装置は、雪止め板の開放時に高位置へと上昇する構造である。屋根上に設置された駆動部と雪止め板とが、例えば５０センチメートルのアームによって支持され、該アームが回動し略屋根面と平行となる位置にて開放状態となる。この時の雪止め板の位置は屋根面より５０センチメートル離れた所に位置する。つまり、５０センチメートルの積雪ならば雪止め板と何ら干渉するものではない。また、例え５０センチメートルを越える積雪であっても上層となる部分は軽い積雪であり、下層の重い雪の落雪時のエネルギーは大きく、よって落雪に影響するには至らないと考えられる。
【０００６】
もう一つの方法として、雪止め板をガイドレールを利用して昇降させることも可能でもあるが、雪止め板を屋根の傾斜と略同一とすることが重要であり、本願発明による回動構造に勝るものではない。また、ガイドレールによる昇降機構は、回動式に比べ構造も複雑化しコスト高と考えられる。
【０００７】
また、雪止め板を駆動部より上方の屋根面に備える形態も何ら問題とはならず、むしろ雪止め板を開放状態へと回動する際には、落雪のエネルギーが雪止め板の開放へと働き、効果的ともいえる。しかし、軒先の先端部に設置する場合は、前者によるところであり相対的に本願発明による形態が最良といえる。
【発明の効果】
【０００８】
効果としては、大量の積雪時でも落雪時に雪止め板と積雪とが干渉しないことで円滑な落雪状体となり、装置の損傷も防ぐことができる。
【図面の簡単な説明】
【０００９】
【図１】本発明の雪止め装置の下方設置型の作用時における側面図である
【図２】本発明の雪止め装置の開放時における側面図である
【図３】本発明の雪止め装置の上方設置型の作用時における側面図である
【図４】本発明の雪止め装置の長尺型の作用時における平面図である
【図５】本発明の雪止め装置のピッチ型の作用時における平面図である
【発明を実施するための形態】
【００１０】
形態として詳しく説明すると、アーム（２ａ）は通常駆動部（１）と雪止め板（３）との継手部の役割を果たすものであるが、本願発明によるアーム（２ａ）は、雪止め板（３）を屋根より大きく隔てることが目的である。そのためアーム（２ａ）の形状は積雪の影響を受けない高さを必要とする。しかし、積雪といっても積雪量は地域や気象状況に左右され、また、個人の都合（長期の不在）等によっても大きく変わるものである。
【００１１】
そこで、個人の状況に応じてアーム（２ａ）の長さを選択して設置することとなるが、大量の積雪に対応することは、雪止め板（３）の強度や雪止め装置の構造等コスト的にも負担が増すばかりで得策とはいえない。従って最大積雪量は５０〜６０センチメートルを目処にすることが好ましい。それ以上の積雪は稀であり、家屋の損壊にもつながることから随時落雪した状態であるといえる。
【００１２】
アーム（２ａ）の形状として、厚さにおいては落雪時の抵抗が少なく、かつ作動時の積雪との抵抗を減少させる必要があり、よって平板状が適切といえる。
【００１３】
次に駆動部（１）や駆動部のハウジング及び雪止め板（３）、また屋根面への取付け金具においては特許文献１によるところであり、今回限定すべき事項ではない。しかし本願発明の構造は、雪止め板（３）が大量の積雪の中を移動（上昇）する為、雪止め板（３）が積雪から受ける抵抗が大きなものである。よって抵抗を減少させることも重要であり、厚みは極力薄く、また断面形状も、回動時の円の軌跡に似る円弧形、若しくはより内側へ切れ込む角度にすることが効果的といえる。
【００１４】
次に駆動部（１）を多く備えることはコスト的にリスクとなる為駆動部（１）を少なく備える構造が好ましい。例えば長尺型雪止め板の場合は主要２箇所以上に駆動部（１）と連結されたアーム（２ａ）を備え、その他の複数箇所に補助アーム（２ｂ）を備える。また、ピッチ型雪止め板の場合は、中央１箇所にアーム（２ａ）を備え、両端部近傍に補助アーム（２ｂ）を備える。
【符号の説明】
【００１５】
１    駆動部
２ａ  アーム
２ｂ  補助アーム
３    雪止め板
【図１】
2017155405.tif 000003
【図２】
2017155405.tif 000004
【図３】
2017155405.tif 000005
【図４】
2017155405.tif 000006
【図５】
2017155405.tif 000007
(57)【要約】      （修正有）【課題】予防医学の完結による、原因の探求、治療の方法、予防の教育を行ない、日本の国民病と言われる、糖尿病の予備軍、二千万人を治すこと。【解決手段】『原因の探求』白米には、栄養失調になる原因がある。『治療の方法』糖質制限の必須栄養素による食事療法を実施する。『予防の教育』糖尿病の学習と、必須栄養学を学習する。【選択図】なし【特許請求の範囲】
病院内で糖尿病の食事療法は糖質制限を行い、必須栄養素による食材を主力とする食事療法で治療する。糖質制限の必須栄養素による食事療法。
【発明の詳細な説明】
【０００１】
【従来の欠点】
【０００２】糖尿病の食事療法において、病院の糖尿食事は、炭水化物が７０〜８０％を占めている。血糖値が高血糖に成るのは、炭水化物に含まれている糖質による。インシュリン注射で高血糖を脂肪に変えて細胞に溜め込む、これが病院の治療方法である。臓器の回復には時間を必要とし、まず、食事ごとに、一生、インシュリン注射を続ける事を前提としている。食事の習慣は白米を主食と定めており、容易に変えられない事情もある。糖質は病気の原因であり、健康回復には必須栄養素を摂って運動が必要です。そうすれば、インシュリン注射を打たなくて良く、開放された生活が送れます。しかし従来の院内食は、全く考慮されていない、治療方法と言える。
【発明の特徴】
【０００３】予防医学の完結による、原因の探求、治療の方法、予防の教育、を行い。日本の国民病と言われる、糖尿予備軍の二千万人を治す事にある。
『原因の探求』  白米の摂取には、栄養失調になる原因がある。
１）ビタミンＢ１が不足すると発症する脚気は、調整素の欠損によって、体の調子を整える事が出来ないのです。明治と大正と昭和の初めに２０万人も脚気と脚気衝心で亡くなっている。今日その原因を特定した。
２）白米で満腹になると、必須アミノ酸、二種類の欠損でたんぱく質を作れず、構成素の不正率による体の組織を構成できない。今日その原因を特定した。
３）血糖は血管内壁を攻撃します。守るために膵臓からインシュリンを出す事で、血糖を脂肪に変えて細胞に蓄えます。血糖値が９０〜１００ｍｌ／ｄｌの平常に戻るには、食後四時間はかかります。糖質を休みなく取ると、日中は高血糖が続き、まず毛細血管から傷みます、次に臓器が病気になります。臓器は疲弊してインシュリンを出せなくなります。悪循環になり病状は加速されます。今日その原因を特定した。
『治療の方法』  炭水化物を食べない糖質制限の必須栄養素による食事療法を実施する。
１）急性の時は、通常の食事とインシュリン注射で対応する治療を行う。
２）長期治療は、糖質制限の必須栄養素による食事療法を選択できることが大切である。
３）他の病気でも、必須栄養素を摂って体の回復を図ることが大切である。
『予防の教育』  糖尿病の学習と、必須栄養学を学習する必要がある。
１）炭水化物による原因と、糖尿病の学習。「炭水化物は人類を滅ぼす」を読む。
２）体を作る必須栄養学を学習する。「糖質制限一年間の体験記」発売予定。
３）糖質制限の食事療法に付いて、食料と料理の学習。
【課題の解決】
【０００４】現在の病院における、糖尿食の間違いを正す必要が生じます。
１）病気を治し体力を回復させるには、糖質制限の必須栄養素による食事療法を患者に対し説明して、選択ができることを提案します。
２）国民健康保険制度における糖質制限の必須栄養素による食事療法の採用で経費節減が出来ます。糖質が病気になる原因であることを知らせる効果も大きい。
３）栄養士の必須栄養学における再試験制度を実施することで、古い三大栄養学を排除する。
【発明の効果】
【０００５】１）予防医学の完結で平成の国民病である糖尿予備軍を治す事が出来る。
２）寿命まで健康で長生きできる、頭脳が冴える、社会福祉に貢献できる。
３）介護人口を減らせる、その分、労働力を増やせる。                敬具。
【手続補正書】
【提出日】平成28年7月7日(2016.7.7)
【手続補正３】
【補正対象書類名】明細書
【補正対象項目名】０００３
【補正方法】変更
【補正の内容】
【０００３】予防医学の完結による、原因の探求、治療の方法、予防の教育、を行い。日本の国民病と言われる、糖尿予備軍の二千万人を治す事にある。
『原因の探求』  白米の摂取には、栄養失調に成る原因がある。
１）白米で満腹になるのは良く無い。ビタミンＢ１が不足すると発症すると言われる脚気が、実は、ビタミンＢ１とミネラルを含む調整素の欠損によって、体の調子を整える事が出来ないのです。明治と大正と昭和の初めに、年間１００万人が入院して、２０万人も脚気と脚気衝心で亡くなっている。今日その原因を特定した。
２）白米だけで満腹になると、必須アミノ酸九種類のうち二種類の欠損でたんぱく質を作れず、構成素の不成立により、体の細胞を作れない、インシュリンも合成できないのです、さらに内蔵などの臓器なども更新できなくなり病気に成ります。
３）白米は糖分が多く、その血糖は血管内壁を攻撃します。守るために膵臓からインシュリンを出すことで、血糖を脂肪に変えて細胞に蓄えます。血糖値が９０〜１００ｍｌ／ｄｌの平常に戻るには、健康な方でも食後四時間はかります。間食に甘いものや果物を食べる、糖分が多い日本酒、ビールも、血が騒ぐので元気になった気になりますが、糖分が二日酔いの原因でもあります。焼酎やウイスキーは二日酔いに成りません。そのことからも糖分が原因で起こる病気が多いので注意が必要です。
糖質を休みなく取ると、１２時間以上高血糖が続き、まず毛細血管から痛みます、次に臓器が病気になります。臓器は疲弊してインシュリンを作れず、出力ができなくなります。糖質のとりすぎと、たんぱく質の不足は、体のすべての細胞を更新できず老化現象が進みます。悪循環になり病状は加速されます。今日その原因を特定した。
『治療の方法』炭水化物を食べない糖質制限を行い、必須栄養素による食事療法を実施する。
１）炭水化物を含む、通常の食事を摂る方には、食事ごとに血糖値を計り、インシュリン注射が必要です。
２）体力と健康を回復する治療は、糖質制限の必須栄養素による食事療法を選択できることが大切である。毎日、インシュリン注射を打たなくても良い。必須栄養素で体のすべての細胞を更新できる、健康になり、適正体重になります。
３）他の病気でも、必須栄養素を摂って体や臓器の回復を図ることが大切である。
『予防の教育』糖尿病の学習と、必須栄養学を学習する必要がある。
１）炭水化物による原因と、糖尿病の学習。「炭水化物は人類を滅ぼす」を読む。
２）体を作る必須栄養学を学習する。「糖質制限一年間の体験記」発売予定。
３）糖質制限を行い、必須栄養学に基ずく食材による食事療法の方法を学習する。
〔選択図〕なし
(57)【要約】【課題】  外出先などひとりで着用するとき、短時間で飾りが形成され帯に固定できるように、飾りの軸を回しながら固定するのに一対で留めるものを設けた簡単クルクルつくり帯を提供する。【解決手段】  飾り（１）が正面になる方を左に向けたとき軸になる帯（２）を右回りに回すのを設け、軸になる帯（２）の付根方に一対で留める片方（３）を外側に設け、軸になる帯（２）を一周したところでもう片方（３）を内側に設けて留め、次に一対で留める片方（４）を外側に設け、体に巻きつける帯（６）の外側上部に設けたもう片方（４）と留め、次に一周回して一対で留める片方（５）を内側に設け、帯（６）の内側にもう片方（５）と留めるのを設けた簡単クルクルつくり帯を特徴とする。【選択図】図１
2017155393.tif 000002
【特許請求の範囲】
【請求項１】
飾り（１）が見える方を左に向けたとき軸になる帯（２）を右回りで回すのを設け、軸になる帯（２）の付根方に一対で留める片方（３）を外側に設け、軸になる帯（２）を一周回したところでもう片方（３）を内側に設けて留め、次に一対で留める片方（４）を外側に設け、体にまき付ける帯（６）の外側上部に設けたもう片方（４）と留め、最後に一周回して一対で留める片方（５）を内側に設け、帯（６）の内側に留めるもう片方（５）を設けた簡単クルクルつくり帯。
【発明の詳細な説明】
【技術分野】
【０００１】  この発明は、飾りの軸を回し順番に一対で留めるもので固定しながら飾りの形を作り、さらに体に巻き付ける帯と固定することにより、短時間で簡単に形作ることができる。また、収納の時は一対で留めるものを外せば平面になるためコンパクトになる、簡単クルクルつくり帯に関するものである。
【背景技術】
【０００２】  従来、飾り帯はすでに飾りが形成されているため嵩がある。
【先行技術文献】
【特許文献】
【０００３】
【特許文献１】
【発明の概要】
【発明が解決しようとする課題】
【０００４】  これは、次のような欠点があった。
従来、飾り帯は飾りが形成されているため飾りの大きさや形を変える事が出来ず、また嵩があるため、収納する時や持ち運ぶ時などは形が崩れないよう保護しなければならないため苦労することが多かった。
本発明は、以上のような欠点をなくすためになされたものである
【課題を解決するための手段】
【０００５】  軸になる帯（２）を伸ばし、飾りになる帯（１）が正面になる方を左に向けた時に右回りで回すのを設け、付根方に一対で留める片方（３）を外側に設け、一周したところでもう片方（３）を内側に設けて留め、次に一対で留める片方（４）を外側に設けたのが体に巻きつける帯（６）の外側上部に設けたもう片方（４）と留め、最後に一周回して一対で留める片方（５）を内側に設け帯（６）の内側にもう片方（５）と留めるのを設ける。
本発明は、以上の構成よりなる簡単クルクルつくり帯である。
【発明の効果】
【０００６】  飾りの軸を回しながら一対で留めるもので固定し形成するため、誰でも短時間で簡単に形を作ることができる。また、一対で留めるものを外せばコンパクトになるため、収納する時や持ち運ぶ時などになんらさしつかえない。
【図面の簡単な説明】
【０００７】
【図１】  本発明の立体の右側中心断面図である。
【図２】  本発明の平面の右側中心断面図である。
【図３】  本発明の立体正面図である。
【発明を実施するための形態】
【０００８】  以下、本発明を実施するための形態について説明する。
飾りになる帯（１）の左右を中心で交じるように織り、片手で中心を握る。
軸になる帯（２）を伸ばし、飾りが正面になる方を左に向けた時に右回りで回すのを設け、軸になる帯（２）の付根方に一対で留める片方（３）を外側に設け、軸になる帯（２）を回す。
一周回して軸になる帯（２）の内側にもう片方の一対で留める（３）を設け固定し、飾り（１）を整える。
次に一対で留める片方（４）を軸になる帯（２）の外側に設けたのを、体に巻きつける帯（６）の外側上部に設けたもう片方の一対で留める（４）と留め、飾り（１）と帯（６）とを固定する。
最後に一周回して一対で留める片方（５）を軸になる帯（２）の内側に設け、帯（６）の内側にもう片方の一対で留める（５）を設けさらに固定する。
本発明は、以上のような構造である。
これを使用するときは、飾りの軸を回しながら順番に一対で留めるもので固定し、さらに飾りと帯を固定する。初心者でも簡単に短時間で飾りを作ることができる。
収納するときは、一対で留めるものを外すと平面になるのでコンパクトになる。
【符号の説明】
【０００９】  １  飾りになる帯
２  軸になる帯
３  一対で留めるもの
４  一対で留めるもの
５  一対で留めるもの
６  体に巻き付ける帯
【図１】
2017155393.tif 000003
【図２】
2017155393.tif 000004
【図３】
2017155393.tif 000005